(57)【要約】【目的】ＤＴＰレイアウト（版面）上にリッチ要素を設定したときにそのリッチ要素を視覚的に確認できるとともに対応するオブジェクトとの関連性が分るようにする。【構成】リッチ要素確認指令の入力に応答して，表示装置に表示されている版面のオブジェクトについて設定されているリッチ設定情報を，リッチ設定情報を格納する記憶手段から取得し，取得したリッチ設定情報の表わすリッチ要素確認画像を含むリッチ要素確認情報を作成して，版面を表示する表示画面上に表示し，かつリッチ要素が設定されている版面上のオブジェクトとリッチ要素確認情報との関連性を表示画面上で明示する。【選択図】図６
2014225192.tif 000002
【特許請求の範囲】
【請求項１】
設定されたリッチ要素を表わすリッチ設定情報を格納する記憶手段，
制作された版面を表示する表示装置，
リッチ要素確認指令を入力する指令入力手段，
リッチ要素確認指令の入力に応答して，上記表示装置に表示されている版面のオブジェクトについて設定されているリッチ設定情報を上記記憶手段から取得する手段，
取得したリッチ設定情報の表わすリッチ要素確認画像を含むリッチ要素確認情報を作成し，表示画面上に表示する表示制御手段，および
リッチ要素が設定されているオブジェクトとリッチ要素確認情報との関連性を表示画面上で明示する手段，
を備えた設定リッチ情報確認装置。
【請求項２】
リッチ要素確認情報は，リッチ要素確認画像に加えてリッチ要素確認テキストを含む，請求項１に記載の設定リッチ情報確認装置。
【請求項３】
上記表示制御手段は，リッチ要素確認情報を表示装置の表示画面に表示されている版面以外の場所に表示する，請求項１または２のいずれか一項に記載の設定リッチ情報確認装置。
【請求項４】
上記関連性明示手段は，オブジェクトとリッチ要素確認情報との関連付けを，色，線，またはキャラクタにより行うものである，請求項１から３のいずれか一項に記載の設定リッチ情報確認装置。
【請求項５】
リッチ要素設定情報を含むＤＴＰレイアウト情報を記憶する記憶手段，
設定されたリッチ要素に関連するリッチ設定情報を上記記憶手段から取得する手段，
取得したリッチ設定情報の表わすリッチ要素確認画像を含むリッチ要素確認情報を作成し，表示画面上に表示する手段，および
リッチ要素が設定されているオブジェクトとリッチ要素確認情報との関連性を表示画面上で明示する手段，
を備えたリッチ要素情報確認装置。
【請求項６】
リッチ要素設定情報を含むＤＴＰレイアウト・データを作成するＤＴＰレイアウト作成手段，
設定されたリッチ要素に関連するリッチ設定情報を取得する手段，
取得したリッチ設定情報の表わすリッチ要素確認画像を含むリッチ要素確認情報を作成し，表示画面上に表示する手段，および
リッチ要素が設定されているオブジェクトとリッチ要素確認情報との関連性を表示画面上で明示する手段，
を備えた電子書籍制作システム。
【請求項７】
リッチ要素確認指令の入力に応答して，表示装置に表示されている版面のオブジェクトについて設定されているリッチ設定情報を，リッチ設定情報を格納する記憶手段から取得し，
取得したリッチ設定情報の表わすリッチ要素確認画像を含むリッチ要素確認情報を作成して，版面を表示する表示画面上に表示し，かつリッチ要素が設定されている版面上のオブジェクトとリッチ要素確認情報との関連性を表示画面上で明示する，
設定リッチ情報確認方法。
【請求項８】
設定されたリッチ要素に関連するリッチ設定情報をＤＴＰレイアウト・データ中から取得し，
取得したリッチ設定情報の表わすリッチ要素確認画像を含むリッチ要素確認情報を作成し，リッチ要素が設定されているオブジェクトとリッチ要素確認情報との関連性とともに表示画面上に表示する，
電子書籍制作システムにおける設定リッチ情報確認方法。
【請求項９】
リッチ要素確認指令の入力に応答して，表示装置に表示されている版面のオブジェクトについて設定されているリッチ設定情報を，リッチ設定情報を格納する記憶手段から取得し，
取得したリッチ設定情報の表わすリッチ要素確認画像を含むリッチ要素確認情報を作成して，版面を表示する表示画面上に表示し，かつリッチ要素が設定されている版面上のオブジェクトとリッチ要素確認情報との関連性を表示画面上で明示するようにコンピュータを制御する，
設定リッチ情報確認のためのプログラム。
【請求項１０】
設定されたリッチ要素に関連するリッチ設定情報をＤＴＰレイアウト・データ中から取得し，
取得したリッチ設定情報の表わすリッチ要素確認画像を含むリッチ要素確認情報を作成し，リッチ要素が設定されているオブジェクトとリッチ要素確認情報との関連性とともに表示画面上に表示するようにコンピュータを制御する，
電子書籍制作システムにおける設定リッチ情報確認プログラム。
【発明の詳細な説明】
【技術分野】
【０００１】
この発明はＤＴＰレイアウト表示上においてＤＴＰレイアウトに関連して設定されたリッチ要素に関する情報を確認する設定リッチ情報確認装置（手段），それを備えた電子書籍制作システム，設定されたリッチ情報の確認方法，およびこの方法をコンピュータによって実行するためのプログラムに関する。ＤＴＰはデスクトップ・パブリッシング（Desktop Publishing）の意味で，ＤＴＰレイアウト・データとはチラシ，カタログ，書籍等の印刷や電子出版のためにコンピュータを用いて文字，数字，記号，文章等（以上，文字データ），図形，画像，図表等（以上，画像データ）などを編集，レイアウトして得られるデータの集まりで，製版データ，下版データ，版面データ，紙面（ページ）レイアウト・データ等と呼ばれるものを含む。ＤＴＰレイアウトとはそれらのデータによって表わされる文字，画像の配置である。リッチ要素とは紙に印刷（プリント）するのに適したＤＴＰレイアウト（データ）（「紙版」という）に追加し，電子版（いわゆる電子書籍）のコンテンツをより豊富化する電子版特有の表現要素を意味し，具体的にはリンク，ページ内リンク，動画，ポップアップ画像等が含まれる。
【０００２】
特許文献１の書籍，雑誌の入出校管理システムにおいては，台割情報に基づいて，台割表が提示される。ＤＴＰソフトウェアによって各頁の製版用ページデータが作成されるごとに，画像データ変換により，当該頁の確認用画像および縮小画像が作成され，台割表上の各矩形内に，作成済みの縮小画像を割り付けた進行状況表が提示される。縮小画像をクリックすると確認用画像が提示され，印刷用製版データのレイアウトを確認する事ができる。しかしながら，特許文献１ではリッチ要素については全く言及されていない。
【０００３】
近年，電子書籍に動画，音声，リンク，ポップアップ画像のような，いわゆるリッチ要素を組み込むことが一般的になりつつある。電子書籍ビューア上でリッチ要素を展開するには，電子書籍ビューアが解釈できるように，リッチ要素に関する情報を記述したテキスト情報（「リッチ設定情報」という）を，電子書籍データに持たせておく必要がある。このリッチ設定情報を電子書籍ビューアが解釈することで，リッチ要素が展開される（動画の上映，音声の出力，リンク先のサイトの表示，画像のポップアップ等）。
【０００４】
特許文献２には，電子書籍作成システムにおいて基本コンテンツを基準として，そこに貼り付ける編集対象コンテンツの貼り付け領域を確保することで電子書籍データを作成することが記載されている。しかしながら，設定した編集対象コンテンツを視覚的に確認ないしは検査する手段は示されていない。
【先行技術文献】
【特許文献】
【０００５】
【特許文献１】特開２００３−２３３６５０号公報
【特許文献２】再公表公報ＷＯ２００５／１０１２３２
【発明の開示】
【０００６】
この発明はＤＴＰレイアウト上にリッチ要素を設定したときに，そのリッチ要素を視覚的に確認ないしは検査することができるようにすることを目的とする。
【０００７】
この発明はまた，ＤＴＰレイアウト上のオブジェクトと関連してリッチ要素を設定したときに，設定したリッチ要素を表わす画像を，関連するオブジェクトとの関連性が視覚的に認識できるように表示することを目的とする。
【０００８】
この発明による設定リッチ情報確認装置は，設定されたリッチ要素を表わすリッチ設定情報を格納する記憶手段，制作された版面を表示する表示装置，リッチ要素確認指令を入力する指令入力手段，リッチ要素確認指令の入力に応答して，上記表示装置に表示されている版面のオブジェクトについて設定されているリッチ設定情報を上記記憶手段から取得する手段，取得したリッチ設定情報の表わすリッチ要素確認画像を含むリッチ要素確認情報を作成し，表示画面上に表示する表示制御手段，およびリッチ要素が設定されているオブジェクトとリッチ要素確認情報との関連性を表示画面上で明示する手段を備えている。
【０００９】
リッチ設定情報を格納する記憶手段は，もちろん，制作した電子書籍のＤＴＰレイアウト・データ（情報）を格納する記憶装置と兼用することもできる。表示装置に表示される制作された版面（レイアウト表示）とは，完成した版面でもよいし，制作途中の版面でもよい。リッチ要素は版面上のオブジェクト（画像データ，文字データ）に関連して設定されるが，直接的にオブジェクトに関連づけなくても，たとえば版面上のエリア（オブジェクトのエリアとリッチ要素のエリアとが同一または一部重複している）によって関連づけることもできる。場合によっては，エリアそのものをオブジェクトとしてもよい。リッチ設定情報の記憶手段からの取得は，表示されている版面のすべてのオブジェクトについて設定されたリッチ要素についてのリッチ設定情報でもよいし，ユーザが指定したオブジェクトについてのリッチ設定情報でもよい。
【００１０】
この発明によると，制作した，または制作途中の版面において，既に設定したリッチ要素をチェック（検査）または確認したいときには，ユーザはリッチ要素確認開始指令を入力すればよい。すると，設定したリッチ要素の確認画像を含む確認情報が，リッチ要素が設定されているオブジェクトと関連づけて表示画面に表示される。リッチ要素の確認画像が表示されるので，ユーザはこの画像により視覚的に既に設定したリッチ要素を確認ないしは検査することができる。また，リッチ要素が設定されているオブジェクトとそのリッチ要素の確認画像との関連性が表示画面上で明示されるので，リッチ要素に対応するオブジェクトと関連づけてリッチ要素確認画像の確認ないしは検査を行うことができる。
【００１１】
リッチ要素には動画，ウェブリンク，ページ内リンク，ポップアップ等がある。動画の場合には，その動画の一シーンの静止画，複数シーンの縮小静止画の一覧，動画から一部を抽出した動画等がリッチ要素確認画像として用いられる。ウェブリンクやページ内リンクの場合にはリンク先から取得した画像がリッチ要素確認画像として用いられる。ポップアップの場合には，画面上に出現する画像の全部または一部がリッチ要素確認画像として用いられる。
【００１２】
好ましい一実施態様ではリッチ要素確認情報は，リッチ要素確認画像に加えてリッチ要素確認テキストを含む。
【００１３】
上記表示制御手段は，好ましくは，リッチ要素確認情報を表示装置の表示画面に表示されている版面以外の場所に表示する。これにより，リッチ要素確認情報が版面と重ならずに見やすいものとなる。
【００１４】
上記関連性明示手段は，一実施態様では，オブジェクトとリッチ要素確認情報との関連付けを，色，線，またはキャラクタ（数字，文字，記号を含む）により行うものである。
【００１５】
この発明のリッチ要素情報確認装置の要点を抽出すると，リッチ要素設定情報を含むＤＴＰレイアウト情報を記憶する記憶手段，設定されたリッチ要素に関連するリッチ設定情報を上記記憶手段から取得する手段，取得したリッチ設定情報の表わすリッチ要素確認画像を含むリッチ要素確認情報を作成し，表示画面上に表示する手段，およびリッチ要素が設定されているオブジェクトとリッチ要素確認情報との関連性を表示画面上で明示する手段を備えたものということができる。
【００１６】
さらにこの発明はリッチ要素設定情報確認手段を含む電子書籍制作システムを提供している。この電子書籍制作システムは，リッチ要素設定情報を含むＤＴＰレイアウト・データを作成するＤＴＰレイアウト作成手段，設定されたリッチ要素に関連するリッチ設定情報を取得する手段，取得したリッチ設定情報の表わすリッチ要素確認画像を含むリッチ要素確認情報を作成し，表示画面上に表示する手段，およびリッチ要素が設定されているオブジェクトとリッチ要素確認情報との関連性を表示画面上で明示する手段を備えているものである。
【００１７】
この発明は設定リッチ情報確認方法およびプログラムも提供している。
【００１８】
この発明による設定リッチ情報確認方法は，リッチ要素確認指令の入力に応答して，表示装置に表示されている版面のオブジェクトについて設定されているリッチ設定情報を，リッチ設定情報を格納する記憶手段から取得し，取得したリッチ設定情報の表わすリッチ要素確認画像を含むリッチ要素確認情報を作成して，版面を表示する表示画面上に表示し，かつリッチ要素が設定されている版面上のオブジェクトとリッチ要素確認情報との関連性を表示画面上で明示するものである。
【００１９】
この発明による電子書籍制作システムにおける設定リッチ情報確認方法は，設定されたリッチ要素に関連するリッチ設定情報をＤＴＰレイアウト・データ中から取得し，取得したリッチ設定情報の表わすリッチ要素確認画像を含むリッチ要素確認情報を作成し，リッチ要素が設定されているオブジェクトとリッチ要素確認情報との関連性とともに表示画面上に表示するものである。
【００２０】
この発明による設定リッチ情報確認プログラムは，リッチ要素確認指令の入力に応答して，表示装置に表示されている版面のオブジェクトについて設定されているリッチ設定情報を，リッチ設定情報を格納する記憶手段から取得し，取得したリッチ設定情報の表わすリッチ要素確認画像を含むリッチ要素確認情報を作成して，版面を表示する表示画面上に表示し，かつリッチ要素が設定されている版面上のオブジェクトとリッチ要素確認情報との関連性を表示画面上で明示するようにコンピュータを制御するものである。
【００２１】
この発明による電子書籍制作システムにおける設定リッチ情報確認プログラムは，設定されたリッチ要素に関連するリッチ設定情報をＤＴＰレイアウト・データ中から取得し，取得したリッチ設定情報の表わすリッチ要素確認画像を含むリッチ要素確認情報を作成し，リッチ要素が設定されているオブジェクトとリッチ要素確認情報との関連性とともに表示画面上に表示するようにコンピュータを制御するものである。
【図面の簡単な説明】
【００２２】
【図１】電子書籍制作システムの電気的構成を示すブロック図。
【図２】レイアウト編集したカタログのあるページ（第13ページ）（版面）を表わす表示画面を示す。
【図３】表示画面にリッチ設定Ｕ／Ｉウィンドウが現われた様子を示す。
【図４】リッチ設定情報の一例を示す。
【図５】電子書籍データの一例を示す。
【図６】設定リッチ情報確認画面の一例を示す。
【図７】設定リッチ情報確認処理手順を示すフローチャートである。
【図８】設定抽出処理手順を示すフローチャートである。
【図９】動画設定抽出処理手順を示すフローチャートである。
【図１０】ウェブページリンク設定抽出処理手順を示すフローチャートである。
【図１１】ページ内リンク設定抽出処理手順を示すフローチャートである。
【図１２】ポップアップ画像設定抽出処理手順を示すフローチャートである。
【実施例】
【００２３】
図１はレイアウト編集処理（ＤＴＰレイアウト・データ作成），リッチ情報設定処理，設定リッチ情報確認処理等を含む電子書籍制作処理を行う電子書籍制作システム（装置）の電気的構成の概要を示すものである。電子書籍制作システム10は，たとえば，パーソナル・コンピュータ等により構成されており，制御部11，記憶部12，操作部13，表示部14およびインターフェース部（Ｉ／Ｆ部）15を備えている。この電子書籍制作システム10は，ＤＴＰレイアウト・データ作成装置（手段）（レイアウト編集装置（手段）），リッチ設定情報制作装置（手段）および設定リッチ情報確認装置（手段）を含むということができる。ＤＴＰレイアウト・データ作成にリッチ設定情報制作を含ませてもよい。
【００２４】
記憶部12は，たとえば，ハードディスク・ドライブや不揮発性メモリ等により構成されており，オペレーティング・システムや，アプリケーション等の各種プログラム，各種データ（ＤＴＰレイアウト・データ（情報）（設定リッチ情報を含む），各種テーブル，オブジェクト等）等を記憶する。これらのアプリケーション・プログラムには，ＤＴＰレイアウト・データを編集するためのレイアウト編集用アプリケーション（一般的なレイアウト・ソフトを含む），リッチ情報設定処理，後述する設定リッチ情報確認処理等を行うプログラム等が含まれている。これらのプログラムはサーバ装置等からネットワークを介して取得するようにしてもよいし，記録媒体に記録されたものを読み込むようにしてもよい。
【００２５】
操作部13は，たとえばキーボード，マウス等により構成されており，ユーザ（オペレータまたは編集者）の入力操作を受け付け，入力操作に応じた操作信号を制御部11に送る。表示部14は，液晶ディスプレイ装置等で構成されており，制御部11の制御の下，ＤＴＰレイアウト，設定リッチ情報確認画像を含む設定リッチ確認情報，メニューなどの各種ウィンドウ等を表示する。Ｉ／Ｆ部15は，スキャナやプリンタ等の周辺機器との間で送受信するデータの変換等を行う。
【００２６】
制御部11は，演算機能を有するＣＰＵ，ＲＯＭ，作業用のＲＡＭ等を備えており，操作部13からの操作信号に基づいて，当該操作信号によって指示された処理（レイアウト編集処理，リッチ情報設定処理，後述する設定リッチ情報確認処理等を記憶部12のプログラムに従って行い，その結果を記憶部12，表示部14，Ｉ／Ｆ部15に出力する。
【００２７】
図２は電子書籍制作システム10（レイアウト編集処理装置またはＤＴＰレイアウト・データ作成装置）において，作成した（または作成途上の）あるカタログの１ページ（第13ページ）（版面）を表示する表示部（表示装置）14の表示画面（レイアウト表示画面，版面表示画面）の一例を示している。カタログの第13ページ（版面）（符号20で示す）には，商品Ａ，Ｂ，Ｃ，Ｄについての表示欄（レイアウト・エリア（領域））がある。このうちで，商品Ａについてのレイアウト・エリアを符号21で示す。このエリア21には商品Ａの画像を表示するエリア21Ａと，商品Ａの説明文（価格等を含む）を表示するエリア21Ｂとが含まれている。商品Ｂ，Ｃ，Ｄについてのレイアウト・エリアがそれぞれ符号22，23，24で示されている。これらの商品のエリア22，23，24にも画像を表示するエリアと商品の説明文（価格等を含む）のエリアが含まれている。このページ（版面）20の上部には，店舗の説明文や画像を表示するエリア25が設けられている。
【００２８】
表示部14の表示画面には，各種アイコン，モード設定ボタン等の各種機能を操作するためのエリア（図示略）が表示されている。
【００２９】
まずリッチ情報設定処理について説明する。ユーザはモード設定ボタン中のリッチ情報設定開始ボタンを押して（クリックして）制御部11をリッチ情報設定モードにする。
【００３０】
リッチ要素には，この実施例では，ウェブ（Web ）リンク，ページ内リンク，動画，ポップアップ等がある。ウェブリンクはリンク先を示すＵＲＬから取得する情報を表示するものである。ページ内リンクは同一書籍（カタログ等）内の他のページの情報を表示するものである。動画は指定された動画ファイルの動画を表示するものである。ポップアップには，小さな画像を拡大して表示すること，特定のエリアに特定の画像を出現させること，または常時表示されている画像から始まってスライドショーのように複数の画像を順次表示すること（好ましくは拡大して）がある。このようなリッチ要素の実演（展開または実行）は電子書籍ビューアによって行なわれる。
【００３１】
このようなリッチ要素の情報（リッチ設定情報）は，版面に表わされた画像または説明等（これらをオブジェクトという）に関連づけて設定される。この実施例では，各画像または説明等のエリア（21，21Ａ，21Ｂ，22，23，24，25等）または任意に設定されたエリアに関連づけてリッチ要素が設定されるものとする。
【００３２】
リッチ情報設定モードにおいては，図３に示すようにリッチ要素Ｕ／Ｉウィンドウ30が現われる。このウィンドウ30内には，リッチ要素の種類（動画，ウェブリンク，ページ内リンク，ポップアップ等）ごとに，設定すべき項目（リッチ設定入力項目）を記述した欄31，32等が表示される。
【００３３】
動画の場合には，設定項目として，再生ファイル（再生すべき動画のファイル名またはそのパス）（リッチ要素そのものの特定）および動作設定がある。動画についての動作設定には動作開始タイミング（ページ展開時，クリック時など）と再生サイズ（再生する画像のサイズ）が含まれる。ウェブリンクに関しては，ジャンプ先のＵＲＬ等と動作設定があり，動作設定には動作開始タイミングと表示ブラウザ（ジャンプ先のＵＲＬのページを表示するソフトウェア）とが含まれる。ページ内リンクも同様にジャンプ先のページと動作設定がある。ポップアップの場合には動画と同じように再生ファイルの特定と動作設定がある。
【００３４】
ユーザは表示画面の版面（ページ・レイアウト）20上において，リッチ要素を設定するエリアを設定（指定）する。たとえば符号41で示されるエリアは商品Ａの画像についてのエリア21Ａと重複する領域として設定されている。そして，このエリア41に対応して（関連づけて）ウィンドウ30内の入力項目記入欄31において設定したいリッチ要素についてその内容をリッチ設定項目ごとに操作部13から入力する。この後，ユーザが書き込みボタン36を押すと（クリックすると），入力されたリッチ設定情報は記憶部12に記憶される。他のエリア22〜24の画像等についても上記のようにしてリッチ情報が設定される。
【００３５】
入力されたリッチ設定情報は電子書籍ビューアが解釈可能な形式のテキスト・データに変換される。この変換結果の一例が図４に示されている。このテキスト・データは，リッチ要素の識別符号（たとえば連番），対象書籍のリッチ要素を実行（展開）すべき（リッチ要素が関連づけられた）ページ，リッチ要素の種類（動画，ウェブリンク，ページ内リンク，ポップアップ等），入力された再生ファイルまたはジャンプ先（リッチ要素そのものの特定），動作設定情報，リッチ要素が設定されたエリアの位置，大きさ（リッチ要素エリア（たとえば符号41で示されるエリア）の左上角のＤＴＰレイアウト座標系における座標，横，縦の長さ）等を含む。これらの各種情報の前後は，＜（各項目を表わす）＞の文字，記号により挟まれているので，どのような項目かを識別できる。
【００３６】
図５はこのようにして作成された電子書籍のデータ（版面データ，ＤＴＰレイアウト・データまたはＤＴＰレイアウト情報）を示している。第13ページに関していえば，商品Ａ画像，商品Ａ説明文等に関するＤＴＰレイアウト・データ（オブジェクトＩＤやその位置，大きさ，画像，文字等の内容）に加えて，上のようにして作成されたリッチ設定情報がテキスト・データとしてリッチ要素オブジェクトＩＤに関連して記憶されている。
【００３７】
このような電子書籍データを電子書籍ビューアが解釈して図２に示すものと同じような画面が表示される。リッチ要素が設定されたエリア（リッチ要素エリア）（符号41で示すエリアなど）内を読者がクリックすると，そこに設定されているリッチ要素がリッチ要素エリア内に表われる。たとえばリッチ要素エリア41内がクリックされると，先に設定されたリッチ設定情報にしたがって動画（図面では静止画としか表現できない）が現われる。ウェブリンクが設定されたリッチ要素エリア内がクリックされると，リッチ設定情報内のジャンプ先に電子書籍ビューアがアクセスしてそのウェブサイトの情報を取得し，リッチ要素エリア内に表示する。これらの表示は必ずしも該当するリッチ要素エリア内に限らず，表示画面の全体（または一部）にわたって拡大表示してもよい。
【００３８】
さて，上述したようなリッチ要素を設定した後に，または設定している途中で（版面データ制作の過程で），これを確認することは重要である。たとえば図４に示すようなテキスト情報が表示されたとしても，それだけでは目的とするものが適切に設定されているかどうか分りにくい。そこでユーザは設定したリッチ要素を確認するために，設定リッチ情報確認モードに進むことができる。たとえば，ユーザは図６に示すように，表示画面上に表示された「検査」（または「確認」）ボタン40を押す（クリックする）。すると，制御部11の設定リッチ情報確認処理機能が作動する。
【００３９】
図６は制御部11による設定リッチ情報確認処理により最終的に得られる表示部14の表示画面を示している。画面の中央部にカタログの13ページの版面（レイアウト表示）20が表わされている。商品Ａ，Ｂ，Ｃ，Ｄ（オブジェクト）のエリアに関連して設定されたリッチ要素の設定内容（リッチ要素確認情報）が版面の外部（版面外）に表示されている。商品Ａ（エリア21Ａと重複するエリア41（図３））については，動画のリッチ要素が設定されているので，その動画画像の一部（特定の静止画でも，短い時間の動画でもよい）または全部（符号61Ａで示す）（リッチ要素確認画像）が画面の左上の位置に表示され，その下にリッチ要素の設定情報を示すテキスト（図４に示すテキスト・ファイルのうちの重要な部分）（符号61Ｂで示す）（リッチ要素確認テキスト）が画像61Ａの下に表示される。さらにこれらの画像61Ａとテキスト61Ｂ（リッチ要素確認情報）を囲む矩形フレーム（枠）61が描かれ，オブジェクトである商品Ａのエリア（リッチ要素が設定されたオブジェクト）を囲むフレーム（枠）51が描かれ，これらのフレーム51と61とが同じ色で表わされ，これによってそれらの関連性が示される。さらに関連性を強調するために，これらのフレーム51と61には同じ番号（１）（合番）が割り付けられ，表示される。
【００４０】
商品Ｂ（エリア22）に関してはリッチ要素としてウェブリンクが設定されているので，リンク先のサイトをブラウザで表示した場合の画面と，リッチ要素のテキスト・データとが画面の右上に（版面外）表示され，商品Ｂとこれらのリッチ要素の内容とが同じ色の矩形フレームで囲まれ，同じ番号（２）が割り当てられ，それらの関連性が明示される。番号（１）のフレームと番号（２）のフレームの色は異なる。後述する番号（３），（４）のフレームについても番号（１），（２）のフレームと異なる色，すなわち，番号（１）〜（４）のフレームは番号ごとに異なる色で表示される。
【００４１】
商品Ｃ（エリア23）に関してはリッチ要素としてページ内リンクが設定されているので，指定されたページの画像とリッチ要素を示すテキストとが画面の左下に表示され，これらの画像およびテキストがフレームで囲まれ，商品Ｃがフレームで囲まれ，これらのフレームが同じ色で表示されるとともに，同じ番号（３）が付けられて相互に関連付けられる。
【００４２】
商品Ｄ（エリア24）に関してはリッチ要素としてポップアップが設定されているので，画面の右下にポップアップ画像とそのリッチ要素を表わすテキストとが表示され，これらがフレームで囲まれ，商品Ｄもフレームで囲まれ，これらのフレームが同じ色で表わされるとともに，番号（４）が付けられて相互に関連づけられる。
【００４３】
このようにして，設定されたリッチ要素に関して，その確認処理において，指定動画の一部画像，リンク先ウェブページの表示画像，リンク先ページ表示画像，ポップアップ画像（リッチ要素確認画像を含むリッチ要素確認情報）を版面外に貼り，フレームで囲み，合番をけることにより，設定情報がより分かりやすく視覚化され，正しい設定かどうかの確認または検査が容易になる。
【００４４】
図７から図12は上述した処理を制御部11が実行する手順（制御部11のプログラムが実行する手順）を示すものである。
【００４５】
図７において，対象となる版面内全体の（表示されている版面20に関連する）オブジェクト・データ（図５に示すデータ）を取得し（Ｓ11），すべての取得したオブジェクトについて，１オブジェクトごとに，それがリッチ要素オブジェクトかどうかをチェックする（Ｓ12，Ｓ13，Ｓ14，Ｓ16）。そしてリッチ要素オブジェクトであれば設定抽出処理（図８）に進む（Ｓ15）。
【００４６】
図８の設定抽出処理では，取得したリッチ要素オブジェクトのリッチ設定情報（テキスト・データ）をチェックし，リッチ要素の種類を判断する。動画のリッチ要素であれば，動画設定抽出処理（図９）に（Ｓ21，Ｓ25），ウェブリンクのリッチ要素であればウェブリンク設定抽出処理（図10）に（Ｓ22，Ｓ26），ページ内リンクのリッチ要素であればページ内リンク設定抽出処理（図11）に（Ｓ23，Ｓ27），ポップアップのリッチ要素であればポップアップ画像設定抽出処理（図12）に（Ｓ24，Ｓ28）に，それぞれ進む。
【００４７】
図９に示す動画設定抽出処理では，リッチ設定情報中の動画ファイルを特定するデータ（ファイル名，ルート等）にしたがって該当する動画データを取得し（Ｓ31），その動画データ中から１シーンの静止画を生成する（Ｓ32）。１シーンの静止画ではなく，複数シーンの静止画の縮小画像の一覧を作成してもよいし，動画の一部またはダイジェスト（サンプリング抽出）を作成してもよい。生成した１シーンの静止画等（図６の符号61Ａ）（リッチ要素確認画像）を表示画面中の版面外の位置，図６の例では左上の位置に配置する（Ｓ33）。リッチ設定情報中の主要な情報（リッチ要素の種類（動画）やファイルパスなど）を記述したテキストフレーム（テキストのまとまり）（リッチ要素確認テキスト）を生成し（Ｓ34，Ｓ35），これを画面上の静止画61Ａの下に配置する（符号61Ｂで示す）（Ｓ36）。そして，静止画61Ａとテキスト61Ｂ（これらがリッチ要素確認情報である）を矩形の枠（フレーム）61で囲む（Ｓ37）。版面20内のリッチ要素が設定されている対応する商品Ａのエリアを囲む矩形の枠（フレーム）51を表示し，これらのフレーム61と51とを同じ色で表わす（Ｓ38）。最後に，版面外の静止画61Ａ，テキスト61Ｂと版面内の商品の画像Ａ（オブジェクト）に同じ番号（１）を表わして（合番配置），フレーム61，51の色と合番とにより，リッチ要素の表示（リッチ要素確認情報）と対応する商品Ａの画像（オブジェクト）とを対応づける（関連づける）。
【００４８】
図10に示すウェブリンク設定抽出処理では，リッチ設定情報中から設定されているウェブサイト（ページ）のＵＲＬを取得し（Ｓ41），このＵＲＬに基づいてＵＲＬで表わされる場所をアクセスしてそのページのＨＴＭＬデータを取得して記憶部12上にレンダリングする（Ｓ42）。その結果を示すコンテンツ（文字，画像等）（リッチ要素確認画像）を表示画面上の版面外の位置（図６では画面の右上の位置）に配置する（Ｓ43）。この後は，図９のＳ34〜Ｓ39と同じように，リッチ設定情報中の主要なテキスト・データ（リッチ要素確認テキスト）を版面外に配置された画像の下に表示し，これら（リッチ要素確認情報）を矩形枠（フレーム）で囲み，対応する商品Ｂ（オブジェクト）を矩形枠（フレーム）で囲み，これら枠の色を同じ色（Ｓ37，38で表わした色とは異なる色）に表示し，番号（２）を付加して（合番配置），版面内のオブジェクトと版面外のリッチ要素確認情報とを対応づける（Ｓ44〜Ｓ48）。
【００４９】
図11に示すページ内リンク設定抽出処理は，図10に示すウェブリンク設定抽出処理と基本的に同じであり，ウェブリンク先からＨＴＭＬデータを取得する代わりに，ページ内リンク先からデータ（画像等）を抽出し，この画像等をリッチ要素テキスト・データとともに（リッチ要素確認情報），版面外の他の場所（図６では画面の左下）に配置して，このリッチ要素確認情報とリッチ要素が割付けられた元の商品Ｃの画像とを矩形の枠（フレーム）で囲み，かつこれらの枠（フレーム）を上記とは異なる色で表現し，かつ番号（３）を付加して相互に関連づける（Ｓ51〜Ｓ58）。
【００５０】
図12に示すポップアップ画像設定抽出処理は，図９に示す動画設定抽出処理とほぼ同じであり，指定されたポップアップ画像のファイルからポップアップ画像（リッチ要素確認画像）を作成し，表示画面上の版面外の他の場所に配置する（Ｓ61，Ｓ62）。この後は図９のＳ34〜Ｓ39と同じように，ポップアップ画像に関するリッチ要素テキスト・データをポップアップ画像の下に配置してリッチ要素確認情報を表わし，この確認情報と元のオブジェクトである商品Ｄとを同じ色（既に使用した色とは異なる色）の枠（フレーム）で囲んで表示して，同じ番号（４）を付す（Ｓ63〜Ｓ68）。
【００５１】
リッチ要素確認画像を含むリッチ要素確認情報とリッチ要素が設定された元のオブジェクトとの関連付けを，これらを囲む枠（フレーム）の色とそれらに付けられた番号（合番）とにより行っているが，他の方法，たとえば枠（フレーム）の代わりに該当するエリア全体を着色する，点滅させる，同じ記号をつける等により行うこともできる。またはリッチ要素確認情報とオブジェクトとを線で結んで関連性を表わしてもよい。リッチ要素が設定されたオブジェクトではなく，リッチ要素を表わすデータが版面に表わされているとき（たとえばウェブリンクの場合に，リンクすべきページのＵＲＬが表示されているとき）には，そのリッチ要素を表わすデータとリッチ要素確認情報とを関連づけてもよい。
【符号の説明】
【００５２】
10  電子書籍制作システム（レイアウト編集処理装置またはＤＴＰレイアウト・データ作成装置，リッチ設定情報制作装置，設定リッチ情報確認装置）
11  制御部
12  記憶部
13  操作部
14  表示部
20  １ページ分の表示（版面）
21，21Ａ，21Ｂ，22，23，24，25  レイアウト・エリア
40  検査（確認）ボタン
41  リッチ要素設定エリア
51  オブジェクトのフレーム
61Ａ  リッチ要素確認画像
61Ｂ  リッチ要素確認テキスト
61  リッチ要素確認情報の枠（フレーム）
【図１】
2014225192.tif 000003
【図２】
2014225192.tif 000004
【図３】
2014225192.tif 000005
【図４】
2014225192.tif 000006
【図５】
2014225192.tif 000007
【図６】
2014225192.tif 000008
【図７】
2014225192.tif 000009
【図８】
2014225192.tif 000010
【図９】
2014225192.tif 000011
【図１０】
2014225192.tif 000012
【図１１】
2014225192.tif 000013
【図１２】
2014225192.tif 000014